(57)【要約】【課題】スラブの所定位置に適正な状態で簡単な作業によって容易に配設することができ、短時間で効率良く施工することができるドレン、並びにこのドレンを用いた施工方法を提供する。【解決手段】コンクリート製建築物のスラブＢの所定位置に配設され、スラブＢ上の雨水等を排水管Ｃ１、Ｃ２を通じて外部に排水するためのドレン１において、排水管に接続される筒状のドレン本体２の上端部にストレーナ４を載置する受け皿部２１が形成され、ドレン本体２の下端部２ａには型枠Ａに固定するフランジ状の位置出しプレート３が着脱自在に設けられている。ドレン本体２の上端部内には、ドレン本体２から所定間隔を隔てて筒状体２４が一体形成されている。そして、位置出しプレート３を型枠Ａ上の適正な位置に強固に固定した後に、この位置出しプレート３にドレン本体２の下端部２ａを差し込む。【選択図】  図１０
2007198087.tif 000002
【特許請求の範囲】
【請求項１】
コンクリート製建築物のスラブの所定位置に配設され、スラブ上の雨水等を排水管を通じて外部に排水するためのドレンにおいて、
排水管に接続される筒状のドレン本体の上端部にストレーナを載置する受け皿部が形成され、当該ドレン本体の下端部には型枠に固定するフランジ状の位置出しプレートが着脱自在に設けられたことを特徴とするドレン。
【請求項２】
前記ドレン本体の上端部内には、当該ドレン本体から所定間隔を隔てて筒状体が一体形成されてなることを特徴とする請求項１記載のドレン。
【請求項３】
請求項１又は２記載のドレンを用いた施工方法であって、
まず、前記位置出しプレートを前記型枠上の適正な位置に強固に固定し、この位置出しプレートにドレン本体の下端部を差し込むことよってドレンを型枠上に配置した後に、上記型枠上にコンクリートを流し込むことを特徴とするドレンを用いた施工方法。
【発明の詳細な説明】
【技術分野】
【０００１】
本発明は、バルコニーやベランダなどに設けられ、雨水等を排水管に導くための排水溝用のドレンに関するものである。
【背景技術】
【０００２】
従来、建築物のコンクリート製スラブの所定位置に配設され、スラブ上の雨水等を排水管を通じて外部に排水するドレンが提供されている。具体的には、このドレンは、排水管に接続されるドレン本体と、このドレン本体の上部に配置されるストレーナとを備えている（例えば、特許文献１参照。）。
【特許文献１】特開２０００−３２００８９号公報
【発明の開示】
【発明が解決しようとする課題】
【０００３】
しかしながら、上記従来のドレンは作製コストなどの面から鋳物製が用いられている。このためドレン自体が重く、このように重量の重いドレンをスラブに配設するには以下のように施工する必要があった。
【０００４】
図８は、ドレンの施工時において当該ドレンをスラブに配設した状態を示している。
【０００５】
ドレンａは、型枠Ａ上に固定手段を用いて配設される。具体的には、固定手段は、位置決め金具ｂ、スペーサｃ、押え板ｄ及びネジ部材ｅを備えており、位置決め金具ｂを型枠Ａ上の所定位置に釘ｆなどによって固定し、この位置決め金具ｂの外周にスペーサｃの下端部を嵌め込むとともに、スペーサｃの上端部でドレンａの途中部を支持し、この後にドレンａの上面に配置した押え板ｄを下方に押圧するように、位置決め金具ｂに下端部を螺入したネジ棒ｅ１の上端部に蝶ネジｅ２をネジ込むことによって、ドレンａを型枠Ａ上に固定している。
【０００６】
そして、この状態で型枠Ａ上にコンクリートを流し込むことで、ドレンａをスラブＢの所定位置に配設している。
【０００７】
このようにドレンａを施工するにあたって、従来では上述したように型枠Ａ上にドレンａを固定するための複数の部材が必要であり、このために設置作業が煩雑で位置合わせなどに余分な労力を要して手間と時間がかかるという問題があった。また、鋳物製のドレンは長期的な使用によって錆びが発生するため、外観が悪くなって塗装のやり直しや、水漏れが発生するという問題があった。
【課題を解決するための手段】
【０００８】
請求項１に係る発明のドレンは、コンクリート製建築物のスラブの所定位置に配設され、スラブ上の雨水等を排水管を通じて外部に排水するためのドレンにおいて、排水管に接続される筒状のドレン本体の上端部にストレーナを載置する受け皿部が形成され、当該ドレン本体の下端部には型枠に固定するフランジ状の位置出しプレートが着脱自在に設けられたものである。
【０００９】
請求項２に係る発明のドレンは、前記ドレン本体の上端部内には、当該ドレン本体から所定間隔を隔てて筒状体が一体形成されてなるものである。
【００１０】
請求項３に係る発明のドレンを用いた施工方法は、請求項１又は２記載のドレンを用いた施工方法であって、まず、前記位置出しプレートを前記型枠上の適正な位置に強固に固定し、この位置出しプレートにドレン本体の下端部を差し込むことよってドレンを型枠上に配置した後に、上記型枠上にコンクリートを流し込むことを特徴とする。
【発明の効果】
【００１１】
本発明によれば、従来のようなスペーサ等の各種部材が不要になり、型枠に固定した位置出しプレートにドレン本体を差し込む作業だけでドレンをスラブの所定位置に適正な状態で容易に配設することができ、短時間で効率良く施工することができる。
【００１２】
また、ドレン本体が合成樹脂製であることから、錆びることがなく長期的に綺麗な状態で使用することができ、しかも、気候変化に伴うコンクリートの収縮等に対してもその柔軟性によって破損などを防止しながら対応することができ、総合的に高い耐久性を確保することができる。
【発明を実施するための最良の形態】
【００１３】
以下、本発明の実施の形態について図面を参照して説明する。
【００１４】
図１は、本発明のドレンを示している。
【００１５】
このドレン１は、コンクリート製建築物のスラブＢ（図７参照）の所定位置に配設され、スラブＢ上の雨水等を排水管を通じて外部に排水するためのもので、ドレン本体２と、ドレン本体２の下端部２ａに連設される位置出しプレート３と、ドレン本体２の上部に配置されるストレーナ４とを備えている。
【００１６】
ドレン本体２は、図２及び図３に示すように円筒状に形成されており、その上端部には、形状は特に限定されるものではないが例えば平面視矩形状で且つ凹状に形成された受け皿部２１が形成され、下端部２ａの外周面に排水管を差し込んで連結するようにしている。
【００１７】
受け皿部２１は、図３及び図４に示すようにその底面中央に排水口２２が形成されるとともに、当該底面の排水口周囲には複数リブ２３が立設されており、これらリブ２３上にストレーナ４を載置するようにしている。
【００１８】
また、前記ドレン本体２には、その上端部内に当該ドレン本体２から所定間隔を隔てて円筒状体２４が一体形成されている。つまり、ドレン本体２よりも小径の円筒状体２４が当該ドレン本体２に一体に設けられている。この円筒状体２４は、その外周面に排水管を差し込んで連結するために形成されたものである。
【００１９】
従って、このドレン本体２は、その下端部２ａと円筒状体２４とに径の異なる大小２種類の排水管が連結できるように構成されている。即ち、建築物に一般的に使用されている排出管の種類に応じてドレン本体２と円筒状体２４の径が設定されている。
【００２０】
このように構成されたドレン本体２は、合成樹脂として例えばポリプロピレン（ＰＰ）によって一体成形されている。
【００２１】
位置出しプレート３は、前記ドレン本体２の下端部外周に差し込んで当該ドレン本体２に着脱自在に連結する円筒状の連結部３１と、この連結部３１の下端に形成されたフランジ部３２とを備えている。
【００２２】
連結部３１は、その本体周面３１ａがドレン本体２よりも径大に形成されている。そして、この本体周面３１ａには、その上端縁に環状片３１ｂが内方に向かって突設されるとともに、その内面に周方向に所定間隔を隔てて複数のリブ３１ｃが軸心方向に形成されている。従って、連結部３１をドレン本体２の下端部２ａに差し込んだ際には、環状片３１ｂ及び各リブ３１ｃの各先端が下端部２ａの外周面に圧接され、これによって当該ドレン本体２に連結するようにしている。つまり、連結部３１をドレン本体２の下端部２ａに連結した状態では、当該連結部３１は下端部２ａに対して外方に突出した段状に配置される。
【００２３】
フランジ部３２は、後述する施工時において型枠Ａに固定するための部位であり、このフランジ部３２には釘などで型枠Ａに固定するための固定用孔３３が適数個（例えば円周方向に９０度ピッチで４個）形成されている。
【００２４】
また、前記連結部３１とフランジ部３２の外周面には例えば円周方向に９０度の間隔で４本の凸部３４が形成されている。これら各凸部３４は後述するドレン１を型枠Ａ上に配置する際においてその方向を決定するための目安にするようにしている。
【００２５】
ストレーナ４は、図６に示すように、格子状に形成されており、前記受け皿部２１に対応する平面視矩形状の王冠状に形成されている。このストレーナ４には四隅に爪４１が設けられており、ストレーナ４を受け皿部２１の各リブ２３上に載置した際に、各爪４１が受け皿部２１に形成された係止孔（図示省略）に係止することで、ストレーナ４が排水口２２を覆う形で安定的に保持される。このように受け皿部２１にストレーナ４を配置することで、雨水等に伴って排水口２２内に侵入しようとする木の葉等の侵入物の侵入を阻止するようにしている。
【００２６】
前記位置決めプレート３及びストレーナ４もドレン本体２と同様にポリプロピレン製によって成形されている。
【００２７】
そして、このように構成されたドレン１は、次のような施工方法によってスラブＢの所定位置に配設される。
【００２８】
まず、スラブを形成するために予め設置された型枠Ａ上にドレン１を配置する。具体的には、位置出しプレート３を型枠Ａ上の適正な位置にその固定用孔３３を通じて釘等により強固に固定する。この際、凸部３４を目安にしてドレン全体の方向を設定すればよい。
【００２９】
そして、位置出しプレート３にドレン本体２の下端部２ａを差し込むことよってドレン１を型枠Ａ上の適正位置に強固に固定した状態で配置する。
【００３０】
このようにしてドレン１を配置すれば、続いてこの状態で型枠Ａ上にコンクリートを流し込んで当該コンクリートが固化することで、図７に示すようにドレン１を適正位置に配設したスラブＢを形成することができる。
【００３１】
これによりドレン１をスラブＢの所定位置に適正な状態で簡単な作業によって容易に配設することができ、短時間で効率良く施工することができる。即ち、従来のようなスペーサ等の各種部材が不要になり、型枠Ａに固定した位置出しプレート３にドレン本体２を差し込むだけの作業によってドレン１をスラブＢの所定位置に適正な状態で配設することができる。この際、ドレン本体２の長さはフラブＢの厚さに応じて適宜に切断して使用すればよい。
【００３２】
そして、この後にドレン１に排水管を連結する。この場合、ドレン１には径の異なる２種類の排水管を接続することができる。
【００３３】
具体的には、まず、径の大きい排水管Ｃ１を用いている建物では、図７に示す状態において、まず位置出しプレート３は、型Ａ枠とともに外されてスラブＢから引き抜かれる。これによりスラブＢには位置出しプレート３に相当する空間が生じてドレン本体２の下端部２ａが露出する。従って、この露出した下端部２ａが排水管Ｃ１を差し込む差し込み代となって当該排水管Ｃ１を連結することができ、これによりスラブＢ上の雨水等をドレン１から排水管Ｃ１を通じて外部に排水する。
【００３４】
次に、径の小さい排水管Ｃ２を用いている建物では、図７に示す状態において円筒状体２４に排水管Ｃ２を差し込むことで当該排水管Ｃ２を連結することができ、これによりスラブＢ上の雨水等をドレン１から排水管Ｃ２を通じて外部に排水する。
【００３５】
上記排水管Ｃ１、Ｃ２としては例えばΦ５０とΦ６５とが使用されているのが一般的であり、ドレン本体２と円筒状体２４の各径をこれに応じて形成しておくことで、これら２種の排水管Ｃ１、Ｃ２に対応することができる。
【００３６】
また、上述したようにドレン本体２等がＰＰ製であることから、当該ドレン本体２の表面が滑らかで雨水等を円滑に排水管に導くことができる。また、錆びることがなく長期的に綺麗な状態で使用することができるとともに、気候変化に伴うコンクリートの収縮等に対してもその柔軟性によって破損などを防止しながら対応することができ、総合的に高い耐久性を確保することができる。さらに、強度や耐熱性にも優れ、しかも再利用することができるので環境等にやさしいという効果を奏する。
【００３７】
図８は、本発明のドレンの他の例を示している。
【００３８】
このドレン１は、位置出しプレート３の連結部３１をドレン本体２の下端部２ａ内周に差し込むようにするとともに、前記フランジ３２を無くしたものである。
【００３９】
この場合、連結部３１は、図９に示すように基端から上端にかけて先細のテーパー状に形成されており、当該連結部３１の外周にドレン本体２の下端部２ａを嵌入し易いようにしている。
【００４０】
また、連結部３１の外周には、凸条体３１ｄが上下にしかも例えば対称位置に２本設けられるとともに、この凸条体３１ｄに対応してドレン本体２の下端部２ａの内周に溝部２ｂ（図１０参照）がそれぞれ形成されている。このように連結部３１に凸条体３１ｄを、ドレン本体２側に溝部２ｂを設けることで、連結部３１に対してドレン本体２を位置決めしながら簡単に、しかも両者を安定的な状態で配置することができる。
【００４１】
なお、他の構成については前述したドレンと同様であり、ここでは説明は省略する。
【００４２】
そして、上述したようにドレン１を構成することによって、位置出しプレート３を型Ａ枠とともスラブＢから取り外した際において、スラブＢには前述したドレン１のような位置出しプレート３の連結部３１に相当する空間を生じないようにすることができる。これにより排水管Ｃ２を連結する場合において、上述したようなスラブＢに生じる空間部分を埋めるような作業をしなくてすみ、作業性を良くすることができる。
【００４３】
なお、上述した実施形態は、あくまでも本発明の好適な実施態様を示すものであって、本発明はこれに限定されることなく、その範囲内において種々設計変更可能である。
【００４４】
例えば、ドレン本体２及び位置出しプレート３等は、ポリプロピレン製に限らず、他の合成樹脂製であってもよし、合成樹脂製の他に例えば鋳物によって作製してもよい。
【００４５】
また、ストレーナ４も必ずしも合成樹脂製でなくてもよく、金属製などであってもよい。
【図面の簡単な説明】
【００４６】
【図１】本発明のドレンを示す斜視図である。
【図２】ドレン本体を示す側面図である。
【図３】図２におけるＸ−Ｘ断面図である。
【図４】ドレン本体の受け皿部を示す平面図である。
【図５】位置出しプレートを示す斜視図である。
【図６】ストレーナを示す斜視図である。
【図７】本発明のドレンをスラブに配置した状態を示す縦断面図である。
【図８】本発明のドレンの他の例を示す斜視図である。
【図９】位置出しプレートを示す斜視図である。
【図１０】ドレンをスラブに配置した状態を示す縦断面図である。
【図１１】従来のドレンを型枠上に配置した状態を示す縦断面図である。
【符号の説明】
【００４７】
１  ドレン
２  ドレン本体
２１  受け皿部
２４  円筒状体（筒状体）
３  位置出しプレート
４  ストレーナ
Ａ  型枠
Ｂ  スラブ
Ｃ１、Ｃ２  排水管
【図１】
2007198087.tif 000003
【図２】
2007198087.tif 000004
【図３】
2007198087.tif 000005
【図４】
2007198087.tif 000006
【図５】
2007198087.tif 000007
【図６】
2007198087.tif 000008
【図７】
2007198087.tif 000009
【図８】
2007198087.tif 000010
【図９】
2007198087.tif 000011
【図１０】
2007198087.tif 000012
【図１１】
2007198087.tif 000013